(57)【要約】【課題】カメラ側に鏡筒が設けられていない場合であっても該カメラに取付けることができるコンバージョンレンズ装置を提供する。【解決手段】カメラ１００は、カメラ本体１０と、カメラ本体１０に対して揺動可能に支持されたカメラヘッド２０とを備える。コンバージョンレンズ装置３０は、コンバージョンレンズ３２を保持するレンズ保持部材３６と、レンズ保持部材３６に連結された取付部材３８とを備える。取付部材３８は、嵌合部３６０２をカメラヘッド２０の前端部２０１２Ａに装着させた状態で、取付部材３８の係止爪３８０２をレンズ保持部材３６の正面壁３６１０の溝に係止させることにより、取付部材３６がカメラヘッドの後端部２０１４Ａ寄り部分に掛装され、コンバージョンレンズ３２がカメラヘッド２０の撮影光学系２０２４の前方に位置される。【選択図】　　　　図１
2004101709.tif 000002
【特許請求の範囲】
【請求項１】
被写体像を結像する撮影光学系と、該撮影光学系で結像された被写体像を検出して撮像信号を生成する撮像素子とを有するカメラヘッドと、前記カメラヘッドを揺動可能に支持するカメラ本体とからなるカメラに装着されるコンバージョンレンズ装置であって、
レンズ保持部材と、前記レンズ保持部材に連結された取付部材とを有し、
前記レンズ保持部材は、前記撮影光学系が臨むカメラヘッドの前端部が嵌合される嵌合部と、コンバージョンレンズを保持し前記嵌合部が前記前端部に嵌合した状態で前記撮影光学系の前方に該コンバージョンレンズを位置させるレンズ保持部とを備え、
前記取付部材は、カメラ本体に対して揺動可能に支持されるカメラヘッドの揺動軸心の回りに沿ってカメラヘッドの後端部側に掛装され前記嵌合部が前記前端部に嵌合された状態を保持するように構成されている、
ことを特徴とするコンバージョンレンズ装置。
【請求項２】
前記取付部材は、カメラヘッドの揺動軸心の回りに沿ってカカメラヘッドの後端部側に掛装されてその両端が前記レンズ保持部材に連結されることを特徴とする請求項１記載のコンバージョンレンズ装置。
【請求項３】
前記取付部材は、その一端が前記レンズ保持部材に揺動可能に連結され、他端が前記レンズ保持部材に係脱可能に連結されることを特徴とする請求項１記載のコンバージョンレンズ装置。
【請求項４】
前記取付部材は硬質の合成樹脂からカメラヘッドの後端部側に係合する形状に形成されている請求項３記載のコンバージョンレンズ装置。
【請求項５】
前記カメラヘッドの前端部には、前記撮影光学系の側方にフラッシュライトが設けられ、前記レンズ保持部材には、前記嵌合部が前記前端部に嵌合した状態で前記フラッシュライトの前方に臨み該フラッシュライトから発光される光を拡散させる拡散窓が設けられていることを特徴とする請求項１記載のコンバージョンレンズ装置。
【請求項６】
前記嵌合部は、カメラヘッドの前端面に臨む前端面を有し、前記レンズ保持部は前記嵌合部の前端面から前方に筒状に突出し、その前端でコンバージョンレンズを保持するように構成されていることを特徴とする請求項１記載のコンバージョンレンズ装置。
【発明の詳細な説明】
【０００１】
【発明の属する技術分野】
本発明はデジタルスチルカメラなどに装着されるコンバージョンレンズ装置に関する。
【０００２】
【従来の技術】
従来、カメラなどに設けられた機器側レンズの焦点距離（倍率）を変更するため、該機器側レンズに着脱可能に装着されるコンバージョンレンズ装置がある。このような従来のコンバージョンレンズ装置は、該コンバージョンレンズ装置の鏡筒に設けられた雄ねじを、前記機器側レンズの鏡筒に設けられた雌ねじに螺合することにより、前記コンバージョンレンズ装置の中心と機器側レンズの中心との位置が合致した状態で前記光学機器に装着されるように構成されている（例えば、特許文献１参照）。
【０００３】
【特許文献１】
特開平１０−７８６０７号公報（図１）
【０００４】
【発明が解決しようとする課題】
しかしながら、このような機器側レンズが鏡筒を有していない場合には、コンバージョンレンズ装置をカメラに取付けることができないという問題がある。
本発明は前記事情に鑑みてなされたものであり、その目的とするところは、カメラ側に鏡筒が設けられていない場合であっても該カメラに取付けることができるコンバージョンレンズ装置を提供することにある。
【０００５】
【課題を解決するための手段】
本発明は、前記目的を達成するため、被写体像を結像する撮影光学系と、該撮影光学系で結像された被写体像を検出して撮像信号を生成する撮像素子とを有するカメラヘッドと、前記カメラヘッドを揺動可能に支持するカメラ本体とからなるカメラに装着されるコンバージョンレンズ装置であって、レンズ保持部材と、前記レンズ保持部材に連結された取付部材とを有し、前記レンズ保持部材は、前記撮影光学系が臨むカメラヘッドの前端部が嵌合される嵌合部と、コンバージョンレンズを保持し前記嵌合部が前記前端部に嵌合した状態で前記撮影光学系の前方に該コンバージョンレンズを位置させるレンズ保持部とを備え、前記取付部材は、カメラ本体に対して揺動可能に支持されるカメラヘッドの揺動軸心の回りに沿ってカメラヘッドの後端部側に掛装され前記嵌合部が前記前端部に嵌合された状態を保持するように構成されていることを特徴とする。
そのため、本発明によれば、取付部材がカメラヘッドの後端部側に掛装された状態で撮影光学系の前方にコンバージョンレンズが位置するので、鏡筒が設けられていないカメラにコンバージョンレンズ装置を取付けることができる。
【０００６】
【発明の実施の形態】
以下、本発明によるコンバージョンレンズ装置の実施の形態を図面に基づいて詳細に説明する。
図１はコンバージョンレンズ装置が装着された状態のデジタルカメラの側面図、図２はコンバージョンレンズ装置が装着された状態のデジタルカメラの正面図である。
まず、コンバージョンレンズ装置が装着されるデジタルカメラ１００（以下単にカメラという）から説明する。
【０００７】
図１、図２、図６（Ａ）、図７（Ｆ）に示すように、カメラ１００は、カメラ本体１０と、該カメラ本体１０に対して揺動可能に支持されたカメラヘッド２０とを備えている。
前記カメラ本体１０は、前後方向の厚さと、厚さよりも大きな上下方向の高さと、高さよりも大きな左右方向の幅とを有したケース１００２を備えている。
【０００８】
前記ケース１００２の上部には前記カメラヘッド２０収容用の凹部１０１６が、前後方向に貫通し上方に開放状に形成され、凹部１０１６の左側部には、ケース１００２の柱状部分１０１８Ａが位置し、凹部１０１６の右側部にはケース１００２の柱状部分１０１８Ｂが位置し、凹部１０１６の底面１０２０はこれら柱状部分１０１８Ａ、１０１８Ｂの間で下方に凸の湾曲面として形成されている。
前記柱状部分１０１８Ａ、１０１８Ｂの上端は同じ高さとなるように構成され、これら柱状部分１０１８Ａ、１０１８Ｂの上端は同一形状の円筒面で形成されている。
前記左側の柱状部分１０１８Ａの上端にはシャッターボタン１０２０が設けられ、ケース１００２の後壁には前記撮像素子から出力される撮像信号に基づいて生成された画像データなどを表示するモニタ１０２２が設けられている。
【０００９】
前記ケース１００２の左側壁の上方寄りの箇所には、前記カメラ１００の動作モードを複数種類の撮影モード、再生モードに切り換えて設定するためのモード切換ダイアル１０２４が配設されている。
前記左側壁の下半分には、メモリデバイスを収容するメモリデバイス収容部とバッテリーを収容するバッテリー収容部が設けられており、これら２つの収容部は蓋１０２６により開閉される。
【００１０】
前記カメラヘッド２０には、被写体像を結像する撮影光学系２０２４と、該撮影光学系２０２４で結像された被写体像を検出して撮像信号を生成する不図示の撮像素子などが配設されている。
前記カメラヘッド２０はケース２００２を有し、前記ケース２００２は、前記カメラ本体１０の厚さと同一の寸法の均一の厚さで形成され、左右側面２００４、２００６および正面２００８並びに背面２０１０は平坦面で形成され、前端面２０１２と後端面２０１４は湾曲面で形成され、左右側面２００４、２００６の後端面２０１４寄り箇所が左右の軸支部２００７Ａ、２００７Ｂを介して前記凹部１０１６の両側面、すなわち、前記柱状部分１０１８Ａ、１０１８Ｂに揺動可能に支持され、本実施の形態では回転可能に支持されている。なお、カメラヘッド２０の前端面２０１２寄り部分がカメラヘッド２０の前端部２０１２Ａであり、カメラヘッドの後端面２０１４寄り部分がカメラヘッド２０の後端部２０１４Ａとなっている。
前記カメラヘッド２０は、前記前端面２０１２を前記凹部１０１６の底面１０２０に臨ませた状態で収納位置となり、この収納位置から揺動させ前記前端面２０１２をカメラ本体１０の外方に向けた状態で使用位置（撮影可能位置）となる。
前記ケース２００２の左側部には、前記撮影光学系２０２４と前記撮像素子が収容され、前記前端面２０１２の左側部には、前記撮影光学系２０２４の前方に位置するように撮影レンズ用窓２０２０が設けられている。
【００１１】
前記撮影光学系２０２４は、被写体像を結像するための撮影レンズを含んで構成され、前記撮影レンズ用窓２０２０を介して該撮影レンズが外方に露出するように配設されている。なお、カメラヘッド２０は鏡筒を備えておらず、撮影レンズはケース２００２の内部でフレーム部材により支持されている。
前記撮像素子は、前記撮影光学系２００２で撮影された被写体像を検出することにより画像信号を生成出力するように構成され、この画像信号が不図示のカメラ信号処理部によって処理されることによって前記画像データが生成され、前記モニタ１０２２に表示される。
また、前記ケース２００２の右側部、すなわち前記撮影レンズの右側方には、フラッシュライト２０２６が収容され、前記前端面２０１２の右側部には、前記フラッシュライト２０２６の前方に位置するようにフラッシュライト用窓２０２２が設けられている。
前記フラッシュライト２０２６は、フラッシュライト駆動回路から供給される駆動信号に基づいて発光し、フラッシュライト用窓２０２２から被写体に光を照射するように構成されている。
【００１２】
次に、以上の構成からなるカメラに装着されるコンバージョンレンズ装置について説明する。
図３（Ａ）は本実施の形態のコンバージョンレンズ装置の正面図、（Ｂ）は（Ａ）の上面図、（Ｃ）は（Ａ）の下面図、（Ｄ）は（Ａ）のＤ矢視図、図４（Ｅ）は図３（Ａ）のＥ矢視図、（Ｆ）は（Ｅ）のＦ矢視図である。
図３、図４に示すように、前記コンバージョンレンズ装置３０は、コンバージョンレンズ３２を保持するレンズ保持部材３６と、前記レンズ保持部材３６に設けられた取付部材３８とを備えている。
前記コンバージョンレンズ３２は、前記撮影光学系２０２４の前方に位置することで該撮影光学系２０２４の焦点距離を変更するように構成され、本実施の形態では、前記焦点距離を短く変更するように、すなわち撮影光学系２０２４の倍率を広角側に変更するように構成されている。
前記レンズ保持部材３６は、ＡＢＳ樹脂などのような硬質の合成樹脂によって型成形され、前記カメラヘッド２０の前端部２０１２Ａの外形と合致する形状に形成され該前端部２０１２Ａに嵌合される嵌合部３６０２と、コンバージョンレンズ３２を保持するレンズ保持部３６０６とを備えている。
前記嵌合部３６０２は、前記ケース２００２の前端面２０１２に臨む前端面３６０４と、ケース２００２の左右側面２００４、２００６、正面２００８、背面２０１０のそれぞれに隙間なく当接する左右の側壁３６０９Ａ、３６０９Ｂ、正面壁３６１０、背面壁３６１２を有している。
前記正面壁３６１０、背面壁３６１２は、前記カメラヘッド２０の正面２００８および背面２０１０に沿って前記左右の側壁３６０９Ａ、３６０９Ｂよりも後方まで延在されている。
前記レンズ保持部３６０６は、前記嵌合部３６０２の前端面３６０４の左側部から筒状に突出し該嵌合部３６０２が前記前端部２０１２Ａに嵌合した状態で前記撮影レンズ用窓２０２０の前方に前記コンバージョンレンズ３２を位置させるように構成されている。すなわち、嵌合部３６０２が前記前端部２０１２Ａに嵌合した状態でレンズ保持部材３６がカメラヘッド２０のケース２００２に対して位置決めされ、これにより前記コンバージョンレンズ３２の中心と前記撮影レンズの中心とが一致されるように構成されている。
また、前記前端面３６０４には、前記嵌合部３６０２が前記前端部２０１２Ａに嵌合した状態で、前記フラッシュライト用窓２０２２の前方に位置するように拡散窓３４（図５参照）が設けられている。
前記拡散窓３４は、図２に示すように、前記フラッシュライト２０２６の前方に位置することで該フラッシュライト２０２６で発光された光を拡散させ、これにより前記フラッシュライト２０２６による光の照射角度を、前記コンバージョンレンズ３２によって変更された前記焦点距離（倍率）に対応した角度に広げるように構成されている。
【００１３】
前記取付部材３８は、ＡＢＳ樹脂などのような硬質の合成樹脂から型成形されている。
前記取付部材３８は、前記カメラヘッド２０の幅よりも小さい寸法の幅を有し、前記カメラヘッド２０の後端部２０１４Ａ寄りの正面２００８部分および後端部２０１４Ａならびに後端部２０１４Ａ寄りの背面２０１０部分に合致した形状で形成され、すなわちカメラヘッド２０の後端部２０１４Ａ寄り部分に合致した形状で形成されている。
前記取付部材３８の一端は、前記背面壁３６１２の端部に支軸を介して揺動可能に連結され、他端には前記正面壁３６１０の端部の溝に係脱可能な係止爪３８０２が形成されている。
前記取付部材３８は、前記嵌合部３６０２をカメラヘッド２０の前端部２０１２Ａに装着させた状態で、カメラ本体１０に対して揺動可能に支持されるカメラヘッド２０の揺動軸心の回りに沿ってカメラヘッド２０の後端部２０１４Ａ側に掛装され、他端の係止爪３８０２を前記正面壁３６１０の溝に係止させることで、コンバージョンレンズ３２を前記撮影レンズ用窓２０２０の前方に臨ませ、かつ、前記フラッシュライト２０２６をフラッシュライト用窓２０２２の前方に臨ませた状態でコンバージョンレンズ装置３０がカメラヘッド２０に固定されるように構成されている。本実施の形態では、取付部材３８が前記カメラヘッド２０の後端部２０１４Ａ寄り部分に係合し、コンバージョンレンズ装置３０がカメラヘッド２０に固定されるように構成されている。
なお、本実施の形態では、図６（Ａ）乃至（Ｄ）に示すように、レンズ保持部材３６は、カメラヘッド２０が前記収納位置から±９０度揺動しカメラ本体１０に対して直角となった直角位置で装着される。また、レンズ保持部材３６がカメラヘッド２０に装着された状態では、前記直角位置から１８０度の範囲でレンズ保持部材３６およびカメラヘッド２０が揺動できるように構成されている。
【００１４】
次に、以上のように構成されたコンバージョンレンズ装置３０の作用について説明する。
前記コンバージョンレンズ装置３０をカメラヘッド２０に装着する際には、図６（Ａ）、（Ｂ）に示すように、該カメラヘッド２０を前記直角位置に揺動させ、嵌合部３６０２をカメラヘッド２０の前端部２０１２Ａに嵌合させる。そして、前記取付部材３８の係止爪３８０２を前記正面壁３６１０の溝に係止させることにより、前記取付部材３６がカメラヘッドの後端部２０１４Ａ寄り部分に掛装され嵌合部３６０２が前記前端部２０１２Ａに嵌合された状態が保持され、これにより、前記コンバージョンレンズ３２が前記撮影光学系２０２４の前方に位置され、かつ、前記フラッシュライト用窓２０２２の前方に該拡散窓３４が位置された状態で、コンバージョンレンズ装置３０がカメラヘッド２０に装着される。これにより、前記撮影光学系２０２４の焦点距離が前記コンバージョンレンズ３２によって変更された状態で撮影を行なうこと可能となる。また、前記フラッシュライト２０２６から発光される光の照射角度を、前記コンバージョンレンズ３２によって変更された前記焦点距離に対応した角度に広げて被写体に照射させることが可能となる。
また、図６（Ｂ）、（Ｃ）、（Ｄ）、（Ｅ）に示すように、前記カメラヘッド２０はコンバージョンレンズ装置３０が装着された状態では、１８０度の範囲の任意の角度位置に位置した状態で撮影を行なうことができる。
【００１５】
また、前記コンバージョンレンズ装置３０をカメラヘッド２０から取り外す際には、図７（Ａ）に示すように、カメラヘッド２０を前記直角位置に戻し、前記取付部材３８の係止爪３８０２を前記正面壁３６１０の溝から外し、その状態で図７（Ｂ）、（Ｃ）、（Ｄ）、（Ｅ）に示すように、カメラヘッド２０を１８０度揺動させて図７（Ｆ）に示す直角位置に位置させ、前記取付部材３８をカメラヘッド２０の周囲から取り外して前記嵌合部３６０２をカメラヘッド２０の前端部２０１２Ａから取り外す。
【００１６】
以上説明したように本実施の形態のコンバージョンレンズ装置３０は、前記レンズ保持部材３６と取付部材３８を有し、レンズ保持部材３６は、前記カメラヘッド２０の前端部２０１２Ａが嵌合される嵌合部３６０２と、前記嵌合部３６０２がカメラヘッド２０の前端部２０１２Ａに嵌合した状態で撮影光学系２０２４の前方にコンバージョンレンズ３２を位置させるレンズ保持部３６０６とを備え、取付部材３８は、カメラヘッド２０の後端部２０１４Ａ側に掛装され嵌合部３６０２が前端部２０１２Ａに嵌合された状態を保持するように構成されているので、カメラ１００側に鏡筒が設けられていない場合であっても該コンバージョンレンズ装置３０をカメラ１００に取付けることができる。
また、前記取付部材３８の一端が前記レンズ保持部材３６に揺動可能に連結され、他端が前記レンズ保持部材３６に係脱可能に連結されているので、コンバージョンレンズ装置３０のカメラヘッド２０への装着および取り外しを容易に行なうことができ操作性を向上させる上で有利である。
また、レンズ保持部材３６には、前記嵌合部３６０２が前記カメラヘッド２０の前端部２０１２Ａに嵌合した状態で前記フラッシュライト２０２６の前方に臨み該フラッシュライト２０２６から発光される光を拡散させる拡散窓３４が設けられているので、フラッシュライト２０２６による光の照射角度を、前記コンバージョンレンズ３２によって変更された前記焦点距離（倍率）に対応した角度に広げることができ、これにより、被写体に対して適切にフラッシュライト２０２６の光を照射させることができる。
【００１７】
なお、本実施の形態では、コンバージョンレンズ装置３０のコンバージョンレンズ３２が撮影光学系２０２４の焦点距離を短く変更するように、すなわち撮影光学系２０２４の倍率を広角側に変更するように構成されているものとして説明したが、コンバージョンレンズ３２が撮影光学系２０２４の焦点距離を長く変更するように、すなわち撮影光学系２０２４の倍率を望遠側に変更するように構成されていてもかまわない。
また、本実施の形態では、取付部材３８を硬質の合成樹脂で形成したが、取付部材３８を弾性を有するゴム部材で形成し、取付部材３８の弾性によって嵌合部３６０２がカメラヘッド２０の前端部２０１２Ａに嵌合された状態を保持するように構成してもよい。
また、本実施の形態では、取付部材３８の両端をレンズ保持部材３６に連結し、レンズ保持部材３６と取付部材３８によりカメラヘッド２０の揺動軸心の回りに沿ったカメラヘッド２０の全周（周囲）に装着させる構成としたが、レンズ保持部材３６と取付部材３８をカメラヘッド２０の揺動軸心の回りに沿ったカメラヘッド２０の全周に装着させず、取付部材３８の一端をカメラヘッド２０の適宜箇所に係止させるようにしてもよい。
【００１８】
【発明の効果】
以上説明したように本発明によれば、カメラ側に鏡筒が設けられていない場合であってもコンバージョンレンズ装置をカメラに簡単に取付けることができる。
【図面の簡単な説明】
【図１】コンバージョンレンズ装置が装着された状態のデジタルカメラの側面図である。
【図２】コンバージョンレンズ装置が装着された状態のデジタルカメラの正面図である。
【図３】（Ａ）は本実施の形態のコンバージョンレンズ装置の正面図、（Ｂ）は（Ａ）の上面図、（Ｃ）は（Ａ）の下面図、（Ｄ）は（Ａ）のＤ矢視図である。
【図４】（Ｅ）は図３（Ａ）のＥ矢視図、（Ｆ）は（Ｅ）のＦ矢視図である。
【図５】拡散窓の平面図である。
【図６】（Ａ）乃至（Ｅ）は本実施の形態のコンバージョンレンズ装置のカメラヘッドへの装着を説明する図である。
【図７】（Ａ）乃至（Ｆ）は本実施の形態のコンバージョンレンズ装置のカメラヘッドからの取り外しを説明する図である。
【符号の説明】
１００……カメラ、１０……カメラ本体、２０……カメラヘッド、２０２４……撮影光学系、３０……コンバージョンレンズ装置、３２……コンバージョンレンズ、３６……レンズ保持部材、３８……取付部材。
【図１】
2004101709.tif 000003
【図２】
2004101709.tif 000004
【図３】
2004101709.tif 000005
【図４】
2004101709.tif 000006
【図５】
2004101709.tif 000007
【図６】
2004101709.tif 000008
【図７】
2004101709.tif 000009